【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
過熱液体を化学処理槽へ連続的に提供する方法であって、
ａ）前記槽からのすべての液体流出流れを所望の温度範囲内の温度に加熱することが可能な第１の加熱装置を提供するステップであって、前記第１の加熱装置に熱を提供するための第１の熱源が提供され、前記第１の加熱装置が前記槽に連結され、前記槽からの前記すべての液体流出流れを受け取り、次に、所望の温度および圧力範囲内の温度および圧力で第１の加熱された液体流れを前記槽に戻し、前記第１の加熱された液体流れが連続的な槽運転に必要な量の過熱液体を有するステップと、
ｂ）任意の熱を第２の加熱装置に加える前に、前記第２の加熱装置に前記槽からの前記すべての液体流出流れのうちの一部を供給し、前記第２の加熱装置を液体で実質的に満たすステップであって、前記第２の加熱装置に熱を提供するための第２の熱源が提供され、前記第２の加熱装置が前記第１の加熱装置と並列に前記槽に連結され、前記槽からの前記すべての液体流出流れを受け取って加熱し、次に、所望の温度および圧力範囲内の温度および圧力で第２の加熱された液体流れを前記槽に戻すことが可能であり、前記第２の加熱された液体流れが連続的な槽運転に必要な量の過熱液体を有するステップと、
ｃ）前記実質的に満たされた第２の加熱装置に前記第２の熱源から熱を加え、前記第２の加熱装置内の前記液体を加熱して、前記第２の加熱された液体流れを前記槽へ供給し、一方、前記槽への前記第１および第２の加熱された液体流れの両方の温度および圧力を前記液体の蒸発点未満に維持し、かつ、前記槽へ供給される過熱液体の全体量を、前記まとめられた第１および第２の加熱された液体流れにおいて、連続的な槽運転に必要な所望の範囲内に維持するステップと、
ｄ）前記第２の加熱装置が前記槽からの前記すべての液体流出流れを受け取り、前記第２の加熱された液体流れが前記すべての加熱された液体流れを前記槽に戻すまで、前記第２の加熱装置に供給される前記すべての液体流出流れの量を増加させ、同時に、前記第２の加熱装置に前記第２の熱源から熱を加え、前記槽から前記第１の加熱装置へ供給される前記すべての液体流出流れの量を減少させ、同時に、前記第１の熱源からの前記第１の加熱装置への熱を減少させ、一方、前記第１および第２の加熱された液体流れを前記蒸発点未満に維持し、かつ、前記槽へ供給される過熱液体の所望の全体量を維持するステップとを含む、方法。
【手続補正２】
【補正対象書類名】明細書
【補正対象項目名】００２７
【補正方法】変更
【補正の内容】
【００２７】
第２の加熱装置が液体流出物で実質的に満たされると、処理の停止または処理の混乱を生じることなく、次に、第１の加熱装置からの熱デューティは、第２の加熱装置に徐々に切り替えられる。槽への加熱された液体流れ３５の温度および圧力は、温度および圧力の所望の範囲内に維持され、同時に連続的な槽運転に必要な過熱液体の所望の全体量を含有するともに、一方で、液体流出流れ３１は第１および第２両方の加熱装置に供給され続ける。弁および好適な制御機器を使用して、液体流出流れ３１から第２の加熱装置２０に供給される液体流出流れ３３の量は増加し、同時に、第２の熱源２１から第２の加熱装置に加えられる熱量は適切に増加する。並行して、液体流出流れ３１から第１の加熱装置１０に送られる液体流出流れ３２の量は減少し、同時に、第１の熱源１１から第１の加熱装置への熱量は適切に減少する。
【手続補正３】
【補正対象書類名】明細書
【補正対象項目名】００３１
【補正方法】変更
【補正の内容】
【００３１】
図に示されるように、液体流出流れ３１および加熱された液体流れ３５は、好ましくは、それぞれの管３２／３３および３６／３７を有し、二重加熱装置に対応する単一ヘッダ流れの形態である可能性がある一方、その他の管配置が可能である。たとえば、各加熱装置が、処理を作動させるための好適な弁調節を制御する制御システムとともに、それぞれ専用の、槽からの流出流れおよび槽へ戻る加熱された液体流れを有する可能性がある。また、図には示されていないが、別の処理からの供給流れが、液体を槽に加える１つの方法として、液体流出流れ３１に付加される可能性がある。
【手続補正４】
【補正対象書類名】明細書
【補正対象項目名】００３３
【補正方法】変更
【補正の内容】
【００３３】
いくつかの好ましい実施形態の槽は、２つ以上の構成部品を分離するために好適な蒸留塔である。いくつかの好ましい実施形態において、槽は、液体への圧力が減少するとき、２つ以上の相に蒸発する多成分過熱液体を受け取るように設計されている。一般に、本明細書に記載される方法は、槽における実質的に任意の点への加熱された液体流れの追加を含む。
次に、本発明の好ましい態様を示す。
１．過熱液体を化学処理槽へ連続的に提供する方法であって、
ａ）前記槽からのすべての液体流出流れを所望の温度範囲内の温度に加熱することが可能な第１の加熱装置を提供するステップであって、前記第１の加熱装置に熱を提供するための第１の熱源が提供され、前記第１の加熱装置が前記槽に連結され、前記槽からの前記すべての液体流出流れを受け取り、次に、所望の温度および圧力範囲内の温度および圧力で第１の加熱された液体流れを前記槽に戻し、前記第１の加熱された液体流れが連続的な槽運転に必要な量の過熱液体を有するステップと、
ｂ）任意の熱を第２の加熱装置に加える前に、前記第２の加熱装置に前記槽からの前記すべての液体流出流れのうちの一部を供給し、前記第２の加熱装置を液体で実質的に満たすステップであって、前記第２の加熱装置に熱を提供するための第２の熱源が提供され、前記第２の加熱装置が前記第１の加熱装置と並列に前記槽に連結され、前記槽からの前記すべての液体流出流れを受け取って加熱し、次に、所望の温度および圧力範囲内の温度および圧力で第２の加熱された液体流れを前記槽に戻すことが可能であり、前記第２の加熱された液体流れが連続的な槽運転に必要な量の過熱液体を有するステップと、
ｃ）前記実質的に満たされた第２の加熱装置に前記第２の熱源から熱を加え、前記第２の加熱装置内の前記液体を加熱して、前記第２の加熱された液体流れを前記槽へ供給し、一方、前記槽への前記第１および第２の加熱された液体流れの両方の温度および圧力を前記液体の蒸発点未満に維持し、かつ、前記槽へ供給される過熱液体の全体量を、前記まとめられた第１および第２の加熱された液体流れにおいて、連続的な槽運転に必要な所望の範囲内に維持するステップと、
ｄ）前記第２の加熱装置が前記槽からの前記すべての液体流出流れを受け取り、前記第２の加熱された液体流れが前記すべての加熱された液体流れを前記槽に戻すまで、前記第２の加熱装置に供給される前記すべての液体流出流れの量を増加させ、同時に、前記第２の加熱装置に前記第２の熱源から熱を加え、前記槽から前記第１の加熱装置へ供給される前記すべての液体流出流れの量を減少させ、同時に、前記第１の熱源からの前記第１の加熱装置への熱を減少させ、一方、前記第１および第２の加熱された液体流れを前記蒸発点未満に維持し、かつ、前記槽へ供給される過熱液体の所望の全体量を維持するステップとを含む、方法。
２．前記槽から第２の加熱装置への、前記すべての液体流出流れの一部の供給が実現され、同時に、前記槽から運ばれる前記すべての液体流出流れの量が増加する、上記１に記載の方法。
３．前記第２の加熱装置が前記加熱された液体流れの熱デューティの少なくとも２５パーセントを取り扱うまで、前記槽からのすべての液体流出物の量が増加する、上記２に記載の方法。
４．前記第２の加熱装置が前記加熱された液体流れの熱デューティの少なくとも５０パーセントを取り扱うまで、前記槽からのすべての液体流出物の量が増加する、上記２に記載の方法。
５．前記第２の加熱装置が前記加熱された液体流れの熱デューティの少なくとも５０パーセントを取り扱うと、前記槽からのすべての液体流出物の量がその後減少する、上記２に記載の方法。
６．前記第２の加熱装置が前記加熱された液体流れの熱デューティの少なくとも７５パーセントを取り扱うと、前記槽からのすべての液体流出物の量がその後減少する、上記２に記載の方法。
７．前記第１または第２の熱源が蒸気である、上記１に記載の方法。
８．前記第１および第２の加熱された液体流れが、前記流れを前記槽に戻す前にまとめられる、上記１に記載の方法。
９．前記第１または第２の加熱装置のいずれかに供給される熱量が制御され、前記装置の最高温度は、前記液体の最低バブルポイント温度以下である、上記１に記載の方法。
１０．前記第１または第２の加熱装置のいずれかに供給される熱量が、各加熱装置に入る前記液体の量および条件に基づき、各加熱装置においてバブルポイント温度に達するために必要な算出された最大熱添加量未満に制御される、上記１に記載の方法。